(57)【特許請求の範囲】
【請求項１】
長辺の天井梁及び床梁、短辺の天井梁及び床梁、並びに柱から略直方体状に形成された骨組みを有する建物ユニットを上階部と下階部にそれぞれ一列に複数配置して構築されるユニット式建物であって、
外光を前記建物ユニットの内部へ取り入れる開口を有する採光部が形成された採光用空間と、屋内空間とを有するライトコート用の建物ユニットを備え、
前記ライトコート用の建物ユニットは、前記上階部と前記下階部に少なくとも一つずつ配置されるとともに、積層配置され、
前記下階部に配置されるライトコート用の建物ユニットは、前記天井梁で囲まれる天井水平領域の一部に前記採光部が形成され、この採光部には、水平ブレースが設けられ、前記上階部に配置されるライトコート用の建物ユニットの採光部には、前記下階部に外光を透光させる透光性床部材が設けられ、この透光性床部材は、前記床梁で囲まれた床面水平領域の一部に掛け渡された根太に配置されたグレーチングを有することを特徴とするユニット式建物。
【請求項２】
請求項１に記載のユニット式建物において、
前記建物ユニットは、上階部及び下階部にそれぞれ３個以上配置され、
前記ライトコート用の建物ユニットは、他の前記建物ユニットに挟まれて配置され、
前記屋内空間には、
上下階部に連通して形成される吹抜け空間に配置される階段部と、
前記採光用空間に隣接して配置される廊下部とが設けられ、
前記廊下部と前記採光用空間との間には、窓部が配設されている
ことを特徴とするユニット式建物。
【発明の詳細な説明】
【技術分野】
【０００１】
本発明は、ライトコートを備えたユニット式建物に関する。
【背景技術】
【０００２】
従来、長辺梁、短辺梁、及び柱から略直方体形状の骨組みを有する建物ユニットを複数配置して構築されるユニット式建物がある。
このユニット式建物には、採光や換気のためにライトコートが設けられているものが知られている（例えば、特許文献１参照）。具体的には、外光を下階部へ採り入れるための開口を有する採光用空間が形成されたライトコート用の建物ユニット、及び他の建物ユニットを前後左右及び上下に並設して、ライトコートを有するユニット式建物が構築される。
このライトコート用の建物ユニットは、採光用空間と、屋内空間とを備える。
【０００３】
ところで、狭小地等にユニット式建物を構築する場合には、複数の建物ユニットを左右に一列配置することで、狭いスペースを有効に利用している。そして、ライトコート用の建物ユニットを積層配置することで、採光用空間が上下階部に連通してライトコートが形成され、外光の届き難い下階部に外光が採り入れられ、さらに、下階部の空気が換気され易くなっている。
ここで、ライトコート用の建物ユニットには、開口を有する採光用空間が形成されるので、当該ライトコート用の建物ユニット自体の強度が低下する。
一般的に、開口を有する建物ユニットを補強するには、屋内空間に補強材を設ける他、前後左右に隣り合う建物ユニットとの連結を強固にしたりしている。
【先行技術文献】
【特許文献】
【０００４】
【特許文献１】特開平５−２３９８６４号公報
【発明の概要】
【発明が解決しようとする課題】
【０００５】
しかしながら、狭小地等に複数の建物ユニットを左右に一列配置してライトコートを形成する場合には、ライトコート用の建物ユニットの前後に他の建物ユニットが配置されないため、隣り合う他の建物ユニットとの連結を強固にすることができず、ライトコート用の建物ユニットの屋内空間に多くの補強材が必要となる。それでは、屋内空間を上下階に連通する吹き抜け空間等を形成することができず、ライトコート用の建物ユニット内のレイアウトの制限が大きくなる。そこで、建物ユニットを一列配置する場合に、建物ユニットのレイアウトの自由度を確保することが望まれている。
【０００６】
本発明の目的は、建物ユニットを一列配置する場合において、採光用空間を有する建物ユニットのレイアウトの自由度を確保できるユニット式建物を提供することにある。
【課題を解決するための手段】
【０００７】
本発明のユニット式建物は、図面を参照して説明すると、長辺の天井梁１１１及び床梁１２１、短辺の天井梁１１２及び床梁１２２、並びに柱１０から略直方体状に形成された骨組み１３を有する建物ユニット６，７を上階部４と下階部３にそれぞれ一列に複数配置して構築されるユニット式建物１であって、外光を前記建物ユニット７の内部へ取り入れる開口を有する採光部１８が形成された採光用空間Ｓと、屋内空間Ｒとを有するライトコート用の建物ユニット６Ａ，６Ｂを備え、前記ライトコート用の建物ユニット６Ａ，６Ｂは、前記上階部４と前記下階部３に少なくとも一つずつ配置されるとともに、積層配置され、前記下階部３に配置されるライトコート用の建物ユニット６Ａは、前記天井梁１１１，１１２で囲まれる天井水平領域の一部に前記採光部１８が形成され、この採光部１８には、水平ブレース１９が設けられ、前記上階部４に配置されるライトコート用の建物ユニット６Ｂの採光部１８Ｂには、前記下階部３に外光を透光させる透光性床部材５が設けられ、この透光性床部材５は、前記床梁１２１，１２２で囲まれた床面水平領域の一部に掛け渡された根太１６に配置されたグレーチングを有することを特徴とする。
【０００８】
この構成の発明では、ライトコートを有するユニット式建物を構築する場合には、ライトコート用の建物ユニットに採光用の開口を設けて、積層配置することで、外光を下階部へ取り入れている。そして、採光部には、水平ブレースが設けられているので、地震や風等の横からの力に対して水平ブレースの引張力により、ライトコート用の建物ユニットが変形することを防止でき、ライトコート用の建物ユニットの強度を維持できる。
従って、例えば、ライトコート用の建物ユニットの採光用空間を除く屋内空間に開口部を設けた場合でも、ライトコート用の建物ユニットの強度を維持することができ、屋内空間に吹抜け空間を形成することができる。すなわち、屋内空間のレイアウトの自由度を確保できる。
【００１０】
しかも、この構成の発明では、外光を透光させる透光性床部材が上階部に配置されるライトコート用の建物ユニットの採光部に設けられているので、下階部に外光を良好に採り入れることができる。さらに、床部材は、床面としての機能を有するので、床としても利用することができる。
【図面の簡単な説明】
【００１１】
【図１】本発明の一実施形態に係るユニット式建物を模式的に示す斜視図。
【図２】ユニット式建物の上階部の内部を示す平面図。
【図３】ライトコート用の上階建物ユニットを示す斜視図。
【図４】ライトコート用の下階建物ユニットを示す斜視図。
【図５】標準の建物ユニットを示す斜視図。
【発明を実施するための形態】
【００１２】
以下、本発明に係る一実施形態を図面に基づいて説明する。
図１は、本実施形態に係るユニット式建物１の全体構成を模式的に示す斜視図である。
本実施形態でのユニット式建物１は、図１に示すように、基礎２上に設置された下階部３と、下階部３の上に積層設置された上階部４とを備え、複数のライトコート用の建物ユニット６、及び他の建物ユニットとしての標準の建物ユニット７で構成されている。
ユニット式建物１には、下階部３及び上階部４にそれぞれ採光用空間Ｓ１，Ｓ２が形成されている。各採光用空間Ｓ１，Ｓ２の間には、外光を透過させる透光性床部材５が配置されている。そして、各採光用空間Ｓ１，Ｓ２が組み合わされて上下に連通する外光や空気を取り込むためのライトコートＬＣが形成される。なお、透光性床部材５の詳細については、後述する。
【００１３】
下階部３は、１個のライトコート用の下階建物ユニット６Ａと、このライトコート用の下階建物ユニット６Ａを挟んで一列に並設される５個の標準の下階建物ユニット７Ａとを備えている。
上階部４は、ライトコート用の下階建物ユニット６Ａの上に積層配置されるライトコート用の上階建物ユニット６Ｂと、標準の下階建物ユニット７Ａの上に積層配置される標準の上階建物ユニット７Ｂとを備えている。上階部４の採光用空間Ｓ２には、手摺部４１（二点鎖線で図示）がライトコート用の上階建物ユニット６Ｂの外縁に設けられている。
【００１４】
図２は、ユニット式建物１の上階部４の内部を示す平面図である。
ライトコート用の上階建物ユニット６Ｂの内部には、図２に示すように、採光用空間Ｓ２の他、屋内空間Ｒ２が設けられている。
屋内空間Ｒ２には、上下階部３，４を行き来する階段部８と、標準の上階建物ユニット７Ｂ間または採光用空間Ｓ２を行き来する廊下部９とが設けられている。
階段部８は、上下階３，４を連通して形成される吹抜け空間ＳＰに配設されている。吹抜け空間ＳＰについては、後述する。
廊下部９は、階段部８と採光用空間Ｓ２との間に配設されている。
廊下部９と採光用空間Ｓ２との間、及び標準の上階建物ユニット７Ｂと採光用空間Ｓ２との間には、図１、２に示すように、外光や空気を取り込む窓部Ｗがそれぞれ配設されている。
【００１５】
図３は、上階部４に配置されるライトコート用の上階建物ユニット６Ｂを模式的に示す斜視図である。
ライトコート用の上階建物ユニット６Ｂは、図３に示すように、四隅に立設される４本の柱１０と、これらの柱１０の上端間同士を連結する４本の天井梁１１と、各柱１０の下端間同士を連結する４本の床梁１２とを含む骨組み１３を有し、略直方体状に形成されている。そして、また、柱１０と天井梁１１及び床梁１２とは、仕口１４を介して接続されている。各建物ユニット６，７の骨組み１３には、工場で予め、図示しない天井面材、床面材、外壁等が取り付けられる。
【００１６】
天井梁１１は、２本の長辺天井梁１１１と、２本の短辺天井梁１１２とを備えている。長辺天井梁１１１間には、複数の天井小梁１５が架け渡されている。
床梁１２は、２本の長辺床梁１２１と、２本の短辺床梁１２２とを備えている。長辺床梁１２１間には、一部を除いて、複数の根太１６が架け渡されている。
本実施形態では、長辺天井梁１１１及び長辺床梁１２１が長辺梁となり、短辺天井梁１１２及び短辺床梁１２２が短辺梁となる。
【００１７】
ライトコート用の上階建物ユニット６Ｂの４本の天井梁１１で囲まれる領域には、複数の天井小梁１５が架け渡されている天井水平領域Ａｒ１と、天井小梁１５が架け渡されていない天井水平領域Ａｒ２とが形成されている。
【００１８】
複数の天井小梁１５が架け渡されている天井水平領域Ａｒ１には、図示しない面材が架け渡されるとともに、ブレースＢが仕口１４と天井小梁１５の端部とを結ぶ対角線上に二本、設けられている。このブレースＢは、地震や風等の横からの力に対して、ブレースの引張力によりライトコート用の上階建物ユニット６Ｂが変形することを防止するものである。
天井小梁１５が架け渡されていない天井水平領域Ａｒ２は、上方からの外光を採り入れるための天井開口部１１Ａとなっている。
【００１９】
ライトコート用の上階建物ユニット６Ｂの４本の床梁１２で囲まれる領域には、複数の根太１６が架け渡されている床面水平領域Ａｒ３と、根太１６が架け渡されていない床面水平領域Ａｒ４とが形成されている。
【００２０】
複数の根太１６が架け渡されている床面水平領域Ａｒ３は、床面材１７が取り付けられる廊下部９と、外光を下階部３へ取り込むための開口を有する採光部１８Ｂとで構成される。採光部１８Ｂには、上述した透光性床部材５が根太１６上に設けられており、この透光性床部材５は、複数枚が組み合わされて構成されている。そして、各領域Ａｒ２，Ａｒ３、及び窓部Ｗ（図２）で囲まれた空間は、上述した採光用空間Ｓ２となっている。
なお、本実施形態において、透光性床部材５には、外光を下階部３へ透光し易くするとともに、床面としての機能を備えるために、格子状に形成された軽量で高強度なＦＲＰ（Fiberglass Reinforced Plastic：ガラス繊維強化プラスチック）製のグレーチングが用いられている。
根太１６が架け渡されていない床面水平領域Ａｒ４は、開口部２０となっている。この床面水平領域Ａｒ４及び廊下部９は、天井水平領域Ａｒ１と同一面積の領域となっている。
【００２１】
図４は、ライトコート用の下階建物ユニット６Ａを模式的に示す斜視図である。
ライトコート用の下階建物ユニット６Ａの内部には、図４に示すように、上階建物ユニット６Ｂと同様に、採光用空間Ｓ１と、屋内空間Ｒ１とが設けられている。なお、屋内空間Ｒ１は、廊下部９となっている。また、廊下部９と採光用空間Ｓ１との間、及び標準の下階建物ユニット７Ａと採光用空間Ｓ２との間には、図１に示すように、外光や空気を取り込む窓部Ｗがそれぞれ配設されている。
ライトコート用の下階建物ユニット６Ａの構成については、ライトコート用の上階建物ユニット６Ｂと同一の構成部材１０〜１７が用いられており、ライトコート用の上階建物ユニット６Ｂと異なる構成のみ説明する。
【００２２】
ライトコート用の下階建物ユニット６Ａの４本の天井梁１１で囲まれる領域には、複数の天井小梁１５が架け渡されている天井水平領域Ａｒ５と、天井小梁１５が架け渡されていない屋内空間Ｒ１の一部に形成される天井水平領域Ａｒ６と、天井小梁１５が架け渡されていない採光用空間Ｓ１に形成される天井水平領域Ａｒ７とが形成されている。
【００２３】
複数の天井小梁１５が架け渡されている天井水平領域Ａｒ５は、廊下部９と対向する位置に形成され、ブレースＢが二本の天井小梁１５の各端部とを結ぶ対角線上に二本、設けられている。
天井小梁１５が架け渡されていない天井水平領域Ａｒ６は、開口部２１となっており、ライトコート用の上階建物ユニット６Ｂの床面水平領域Ａｒ４と対向する位置に形成されている。そして、ライトコート用の建物ユニット６Ａ，６Ｂが積層配置されることで、各開口部２０，２１により上下階部３，４が連通され、階段部８（図２）が配設される吹抜け空間ＳＰが形成される。
天井小梁１５が架け渡されていない天井水平領域Ａｒ７は、外光を下方へ採り込む開口を有する採光部１８Ａとなっており、上階建物ユニット６Ｂの採光部１８Ｂ（図３）と対向する位置に形成されている。そして、ライトコート用の建物ユニット６Ａ，６Ｂが積層配置されることで、各採光部１８Ａ，１８Ｂが連通し、採光用空間Ｓ１，Ｓ２が組み合わされ、ライトコートＬＣ（図１）が形成される。また、天井水平領域Ａｒ７には、水平ブレース１９が仕口１４と天井小梁１５の端部とを結ぶ対角線上に二本、設けられている。水平ブレース１９は、上述したブレースＢと同様の機能を有し、ブレースの引張力によりライトコート用の建物ユニット６が変形することを防止するものである。
【００２４】
ライトコート用の下階建物ユニット６Ａの２本の長辺床梁１２１及び図４では図示を省略した１本の短辺床梁１２２で囲まれる領域には、複数の根太１６が架け渡されている床面水平領域Ａｒ８と、根太１６が架け渡されていない床面水平領域Ａｒ９とが形成されている。
複数の根太１６が架け渡されている床面水平領域Ａｒ８は、床面材１７が取り付けられ廊下部９が形成されている。この床面水平領域Ａｒ８は、天井水平領域Ａｒ５，Ａｒ６を合わせた面積と同一面積の領域となっている。
根太１６が架け渡されていない床面水平領域Ａｒ９は、天井水平領域Ａｒ７と同一面積の領域となっている。そして、各領域Ａｒ７，Ａｒ９、及び窓部Ｗ（図１）で囲まれた空間は、上述した採光用空間Ｓ１となっている。
【００２５】
図５は、標準の建物ユニット７を模式的に示す斜視図である。
標準の建物ユニット７は、図４に示すように、ライトコート用の建物ユニット６と同様に各構成部材１０〜１７で構成されている。この各構成部材１０〜１７については、上述したライトコート用の建物ユニット６と同様の構成であるので、具体的な説明を省略する。
【００２６】
上述した本実施形態に係るユニット式建物１によれば以下の効果を奏する。
（１）ライトコートＬＣを有するユニット式建物１を構築する場合には、ライトコート用の建物ユニット６に採光用の開口を設けて、積層配置することで、外光を下階部３へ取り入れている。そして、ライトコート用の下階建物ユニット６Ａの採光部１８Ａには、水平ブレース１９が設けられているので、地震や風等の横からの力に対して水平ブレース１９の引張力により、ライトコート用の建物ユニット６が変形することを防止でき、ライトコート用の建物ユニット６の強度を維持できる。
従って、ライトコート用の建物ユニット６の採光用空間Ｓを除く屋内空間Ｒに開口部２０，２１を設けても、水平ブレース１９によりライトコート用の建物ユニット６の強度を維持することができ、屋内空間Ｒのレイアウトの自由度を確保できる。
（２）外光を透光させる透光性床部材５がライトコート用の上階建物ユニット６Ｂの採光部１８Ｂに設けられているので、下階部３に外光を良好に採り入れることができる。さらに、透光性床部材５は、床面としての機能を有するので、床としても利用することができる。
（３）ライトコート用の建物ユニット６は、標準の建物ユニット７に挟まれて配置されるので、ユニット式建物１の略中央部分にライトコート用の建物ユニット６が配置されることとなる。従って、階段部８を利用して廊下部９を通って、標準の建物ユニット７に形成される居室に行き来し易い。また、廊下部９と採光用空間Ｓとの間に窓部Ｗが配設されるので、採光用空間Ｓから廊下部９に外光を良好に採り入れることができる。
【００２７】
なお、本発明は前述の実施形態に限定されるものではなく、本発明の目的を達成できる範囲での変形、改良等は本発明に含まれるものである。
例えば、前記実施形態では、ライトコート用の建物ユニット６を上下階部３，４に１個ずつ配置したが、複数配置しても良い。これによれば、下階部３の採光性をより向上できる。
前記実施形態では、ライトコート用の下階建物ユニット６Ａの採光部１８Ａに水平ブレース１９を設けたが、ライトコート用の上階建物ユニット６Ｂの採光部１８Ｂに設けてもよく、採光部１８Ａ，１８Ｂの双方に設けてもよい。
前記実施形態では、ライトコート用の建物ユニット６の屋内空間Ｒに吹抜け空間ＳＰを形成して、階段部８を配設したが、これに限定されず、居室等を配設してもよい。
【００２８】
前記実施形態では、透光性部材５に格子状に形成されたＦＲＰ製のグレーチングが用いられていたが、これに限定されず、下階部３へ外光を透光させる部材であればよい。
前記実施形態では、ライトコート用の建物ユニット６は、略中央部分に配置されていたが、これに限定されず、任意の位置に配置されてもよい。
【産業上の利用可能性】
【００２９】
本発明は、個人住宅用及び共同住宅用に利用できる。
【符号の説明】
【００３０】
１…ユニット式建物
３…下階部
４…上階部
５…透光性床部材
６，６Ａ…ライトコート用の下階建物ユニット（ライトコート用の建物ユニット）
６，６Ｂ…ライトコート用の上階建物ユニット（ライトコート用の建物ユニット）
７，７Ａ…標準の下階建物ユニット（他の建物ユニット）
７，７Ｂ…標準の上階建物ユニット（他の建物ユニット）
８…階段部
９…廊下部
１０…柱
１３…骨組み
１８，１８Ａ，１８Ｂ…採光部
１９…水平ブレース
１１１，１２１…長辺天井梁、長辺床梁（長辺梁）
１１２，１２２…短辺天井梁、短辺床梁（短辺梁）
Ｒ，Ｒ１，Ｒ２…屋内空間
Ｓ，Ｓ１，Ｓ２…採光用空間
ＳＰ…吹抜け空間
Ｗ…窓部。
【図１】
0005439076.tif 000002
【図２】
0005439076.tif 000003
【図３】
0005439076.tif 000004
【図４】
0005439076.tif 000005
【図５】
0005439076.tif 000006